(57)【要約】【課題】本発明の目的は、手の不自由な人であっても容易にバイオセンサを離脱できるとともに、片手でも容易にバイオセンサを離脱できるセンサ着脱構造及び計測表示器を提供することである。【解決手段】計測表示器１２の取付口１４に挿入されて取り付けられたバイオセンサ１６を計測表示器１２から離脱させることができる本発明のセンサ着脱構造１０を、バイオセンサ１６を押し出す方向にスライド可能なスライド部材１８と、計測表示器１２のの外側から押圧できる押し釦２０と、スライド部材１８のスライド動作及び押し釦２０の押圧動作を連動させるリンク機構２２と、を含んで構成した。【選択図】図１
2009250696.tif 000002
【特許請求の範囲】
【請求項１】
計測表示器の取付口に挿入されて取り付けられたバイオセンサを該計測表示器から離脱させることができるセンサ着脱構造であり、
前記バイオセンサを押し出す方向にスライド可能なスライド部材と、
前記計測表示器の外側から押圧できる押し釦と、
前記スライド部材のスライド動作及び前記押し釦の押圧動作を連動させるリンク機構と、を含み、
前記押し釦が押圧されることにより、前記スライド部材が前記リンク機構によってスライドして前記バイオセンサを押し出すセンサ着脱構造。
【請求項２】
前記バイオセンサが、前記押し出す方向と逆方向に前記スライド部材とともにスライドさせられながら、該取付口に挿入されて取り付けられる請求項１に記載するセンサ着脱構造。
【請求項３】
前記リンク機構によって、前記バイオセンサの前記取付口への挿入に連動して前記押し釦が押し出される請求項２に記載するセンサ着脱構造。
【請求項４】
前記押し釦の押圧される方向が、前記バイオセンサの押し出される方向に対して逆方向である請求項１〜請求項３のいずれかに記載するセンサ着脱構造。
【請求項５】
前記押圧された押し釦を戻す方向へ該押し釦に付勢力を付与する弾性部材を備えた請求項１又は請求項２に記載するセンサ着脱構造。
【請求項６】
前記請求項１〜請求項４のいずれかに記載するセンサ着脱構造を備えた計測表示器。
【発明の詳細な説明】
【技術分野】
【０００１】
本発明は、バイオセンサを取り付けた計測表示器から容易にバイオセンサを離脱させることのできるセンサ着脱構造及び計測表示器に関する。
【０００２】
従来から、バイオセンサによる血糖値等の計測値を算出して表示する計測表示器が使用されている。そして、血糖値等の計測後にはバイオセンサを取り外して廃棄する必要があるが、この時にバイオセンサに手が接触して感染症になるのを防止するためのセンサ排出機構を備えた測定装置が案出されている（例えば、特許文献１参照。）。このセンサ排出機構によれば、指でスライド部材をスライドさせることによって、バイオセンサに手で触れることなく、バイオセンサを押し出すことができる。
【０００３】
しかし、指でスライド部材をスライドさせるのは手の不自由な人にとっては困難であった。また、スライド部材が滑らかに摺動しない場合には、指でスライドさせるための多大な力を必要とした。また、計測表示器を片手で保持してバイオセンサを離脱させるには、指の不自然な動きを必要とした。
【０００４】
【特許文献１】特許第３９７７６１９号公報
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、手の不自由な人であっても容易にバイオセンサを離脱できるとともに、片手でも容易にバイオセンサを離脱できるセンサ着脱構造及び計測表示器を提供することを目的とする。
【課題を解決するための手段】
【０００７】
本発明のセンサ着脱構造は、計測表示器の取付口に挿入されて取り付けられたバイオセンサを該計測表示器から離脱させることができるセンサ着脱構造であり、前記バイオセンサを押し出す方向にスライド可能なスライド部材と、前記計測表示器の外側から押圧できる押し釦と、前記スライド部材のスライド動作及び前記押し釦の押圧動作を連動させるリンク機構と、を含み、前記押し釦が押圧されることにより、前記スライド部材が前記リンク機構によってスライドして前記バイオセンサを押し出すことを特徴とする。
【０００８】
また、本発明のセンサ着脱構造は、前記センサ着脱構造において、前記バイオセンサが、前記押し出す方向と逆方向に前記スライド部材とともにスライドさせられながら、該取付口に挿入されて取り付けられることを特徴とする。
【０００９】
また、本発明のセンサ着脱構造は、前記センサ着脱構造において、前記リンク機構によって、前記バイオセンサの前記取付口への挿入に連動して前記押し釦が押し出されることを特徴とする。
【００１０】
また、本発明のセンサ着脱構造は、前記センサ着脱構造において、前記押し釦の押圧される方向が、前記バイオセンサの押し出される方向に対して逆方向であることを特徴とする。
【００１１】
また、本発明のセンサ着脱構造は、前記センサ着脱構造において、前記押圧された押し釦を戻す方向へ該押し釦に付勢力を付与する弾性部材を備えたことを特徴とする。
【００１２】
また、本発明の計測表示器は、前記センサ着脱構造を備えたことを特徴とする。
【発明の効果】
【００１３】
本発明のセンサ着脱構造及び計測表示器によれば、手で押し釦を押すことにより、手でバイオセンサに触れることなく、リンク機構の作動により、バイオセンサを計測表示器から離脱させて廃棄することができる。このため、手で押し釦を押すことのみによって、バイオセンサを離脱させることができるため、手の不自由な人であっても、容易にバイオセンサを離脱させて廃棄できる。また、片手で保持して親指等で押し釦を押圧できる構成とすることにより、指の自然な動きによってバイオセンサを計測表示器から離脱させることができる。
【発明を実施するための最良の形態】
【００１４】
次に、本発明に係るセンサ着脱構造及び計測表示器について、図面に基づいて詳しく説明する。図１〜図３において、符号１０は本発明のセンサ着脱構造を、符号１２は本発明の計測表示器を示す。
【００１５】
本発明のセンサ着脱構造１０は、計測表示器１２の取付口１４に挿入されて取り付けられたバイオセンサ１６を計測表示器１２から離脱させることができるセンサ着脱構造である。このセンサ着脱構造１０は、バイオセンサ１６を押し出す方向にスライド可能なスライド部材１８と、計測表示器１２の外側から押圧できる押し釦２０と、スライド部材１８のスライド動作及び押し釦２０の押圧動作を連動させるリンク機構２２と、を含んで構成され、押し釦２０が押圧されることにより、スライド部材１８がリンク機構２２によってスライドしてバイオセンサ１６を押し出すセンサ着脱構造である。
【００１６】
本発明の計測表示器１２は、このようなセンサ着脱構造１０を備え、取付口１４にバイオセンサ１６を取り付けて血糖値等を測定し、表示部２４に表示できる。バイオセンサ１６は、押し出す方向と逆方向にスライド部材１８とともにスライドさせられながら、取付口１４に挿入されて取り付けられる。
【００１７】
スライド部材１８は、本体２６に固定された基板２８及びハウジング３０に対して、バイオセンサ１６を押し出す方向に又は逆方向に摺動可能なように備えられている。スライド部材１８には、ハウジング３０と接触する２個のガイド３２が設けられ、スライド部材１８のバイオセンサ１６を押し出す方向と垂直方向（図１におけるＹ方向）の運動は、ガイド３２により規制される。また、スライド部材１８の図２におけるＺ方向の運動は、基板２８、揺腕３８及びハウジング３０により規制される。
【００１８】
押し釦２０は、基板２８に固定された軸受部材３４に対してＸ軸方向に摺動可能なように備えられている。押し釦２０は、押圧されない場合には、図１に示すように、計測表示器１２の外側へ突出している。
【００１９】
リンク機構２２は、基板２８に固定されたピン３６のまわりに往復揺動可能な揺腕３８から構成されている。揺腕３８の一端側には、スライド部材１８が有する係合ピン４０が係合された係合溝４２が設けられている。リンク機構２２は、バイオセンサ１６を取付口１４に挿入してスライド部材１８がバイオセンサ１６とともにスライドした場合に、時計まわりに回動させられて押し釦２０を計測表示器１２の外側へ押し出すように構成されている。また、リンク機構２２は、押し釦２０が押圧された場合に、押し釦２０によって反時計まわりに回動させられてスライド部材１８を計測表示器１２の外側に向って押し出すように構成されている。
【００２０】
このようなセンサ着脱構造１０及び計測表示器１２にバイオセンサ１６を取り付けて血糖値を測定する場合、まず、バイオセンサ１６を取付口１４に挿入する。取付口１４に挿入されたバイオセンサ１６は、ハウジング３０の底面４４に沿って摺動した後にスライド部材１８のガイド３２に接触してガイド３２を押圧する。ガイド３２が押圧されることにより、バイオセンサ１６及びスライド部材１８が基板２８及びハウジング３０に沿って摺動し、図１及び図２に示すように、バイオセンサ１６のセンサ電極４６が計測表示器１２の電極端子４８に接触する。また、スライド部材１８の係合ピン４０が揺腕３８の一端の係合溝４２を押圧することにより、揺腕３８が時計まわりに回動し揺腕３８の他端側が押し釦２０の脚部２１を押圧して計測表示器１２の外側へ押し釦２０を押し出す。バイオセンサ１６のセンサ電極４６が計測表示器１２の電極端子４８に接触した時、電極端子４８によってバイオセンサ１６が押圧されることによって、バイオセンサ１６及びスライド部材１８の動きが規制される。このようにしてバイオセンサ１６が計測表示器１２に取り付けられた状態で、バイオセンサ１６の先端に血液が付着されて血糖値の計測が行われる。
【００２１】
血糖値の計測が終了した後は、計測表示器１２を廃棄用容器の上等で保持した状態で、押し釦２０を押すことにより、図３に示すように、押し釦２０の脚部２１が揺腕３８の他端を押圧し、揺腕３８が反時計まわりに回動する。揺腕３８が反時計まわりに回動することにより、係合溝４２がスライド部材１８の係合ピン４０を押圧して、スライド部材１８及びバイオセンサ１６が計測表示器１２の外側へ押し出される。スライド部材１８及びバイオセンサ１６が計測表示器１２の外側へ押し出された時、電極端子４８によるバイオセンサ１６への押圧力が解除されるため、バイオセンサ１６は、スライド部材１８による押圧力により取付口１４から飛び出して離脱する。離脱したバイオセンサ１６は廃棄用容器の中等に落下し、回収されて廃棄される。
【００２２】
このようにして、手で押し釦２０を押すことにより、手でバイオセンサ１６に触れることなく、バイオセンサ１６を計測表示器１２から離脱させて廃棄することができる。このため、バイオセンサ１６に付着した血液による感染症を防止でき、安全性を向上させることができる。また、手で押し釦２０を押すことのみによって、バイオセンサ１６を離脱させることができるため、手の不自由な人であっても、容易にバイオセンサ１６を離脱させて廃棄できる。また、外からセンサ着脱構造としては押し釦２０のみ見えるため、外観上も好ましい。
【００２３】
さらに、バネ等を必要とせずに、リンク機構２２のみによって、バイオセンサ１６を取付口１４に挿入して取り付けた場合に押し釦２０を計測表示器１２の外側へ押し出すことができるとともに、押し釦２０が押圧された場合にバイオセンサ１６及びスライド部材１８を計測表示器１２の外側に向って押し出すことができる。このため、コンパクトな構成によって、バイオセンサ１６の取付け及び離脱を行うことができる。また、押し釦２０の押圧される方向がバイオセンサ１６の押し出される方向に対して逆方向であるため、バイオセンサ１６が離脱する方向を把握しやすく、安全上好ましい。
【００２４】
以上、本発明の一実施形態について図面に基づいて説明したが、本発明はその他の態様でも実施できる。例えば、本発明の計測表示器１２の外観を構成する本体２６の形状は特に限定されない。例えば、図４（ａ）に示す計測表示器１２であっても図４（ｂ）に示す計測表示器１２であってもよい。図４（ａ）に示す計測表示器１２であっても図４（ｂ）に示す計測表示器１２であっても、片手で計測表示器１２を保持して親指５０の自然な動きによって押し釦２０を押してバイオセンサ１６を離脱させることができる。
【００２５】
また、本発明のセンサ着脱構造１０を構成するリンク機構は、図５に示すリンク機構５２であってもよい。このリンク機構５２は押し釦２０の脚部２１の先端の係合ピン５４を揺腕３８の他端の係合溝５６に係合して構成されている。このようなリンク機構５２によれば、バイオセンサ１６を取付口１４に挿入して取り付けた場合に押し釦２０を計測表示器１２の外側へ押し出すこと、及び、押し釦２０が押圧された場合にバイオセンサ１６及びスライド部材１８を計測表示器１２の外側に向って押し出すことを確実に行うことができる。
【００２６】
また、本発明のセンサ着脱構造１０及び計測表示器１２において、図６に示すように、押し釦２０の頭部５２と軸受部材３４との間にバネ（弾性部材）５４を設けてもよい。バネ５４は、押圧された押し釦２０を戻す方向へ押し釦２０に付勢力を付与することができる。図６は、バイオセンサ１６を取付口１４に挿入して取り付けた状態を示している。このバネ５４を設けることにより、図６に示す状態から、押し釦２０を指で押圧してバネ５４を圧縮させながら揺腕３８を回動させてバイオセンサ１６を押し出した後に、指を離すことのみにより押し釦２０をバネ５４の付勢力によって戻すことができる。よって、バイオセンサ１６を取り付けて揺腕３８を時計まわりの方向に回動させなくとも、押し釦２０を戻すことができる。
【００２７】
以上、本発明の実施形態について図面に基づいて説明したが、本発明は図示したものに限定されない。例えば、本発明のセンサ着脱構造及び計測表示器は、血糖値測定用のバイオセンサを取り付けるものに限定されず、血糖値測定用以外のバイオセンサを取り付けるものであってもよい。また、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２８】
本発明のセンサ着脱構造及び計測表示器によれば、リンク機構の作動により、手で押し釦を押すことのみによって、バイオセンサを離脱させることができるため、手の不自由な人であっても、容易にバイオセンサを離脱させて廃棄できる。このため、バイオセンサのためのセンサ着脱構造及び計測表示器として広く利用できる。
【図面の簡単な説明】
【００２９】
【図１】本発明のセンサ着脱構造及び計測表示器において、バイオセンサを取付口に挿入して取り付けた状態を示す平面図である。
【図２】図１のセンサ着脱構造及び計測表示器において、バイオセンサを挿入して取り付けた状態を示すＡ−Ａ線断面図である。
【図３】図１のセンサ着脱構造及び計測表示器において、バイオセンサを離脱させる状態を示す平面図である。
【図４】本発明の計測表示器の外観を示す図であり、同図（ａ）はバイオセンサを取り付けている状態を示す斜視図であり、同図（ｂ）はバイオセンサを離脱させる状態を示す正面図である。
【図５】本発明のセンサ着脱構造及び計測表示器の他の実施形態を示す平面図である。
【図６】本発明のセンサ着脱構造及び計測表示器の他の実施形態を示す平面図である。
【符号の説明】
【００３０】
１０：センサ着脱構造
１２：計測表示器
１４：取付口
１６：バイオセンサ
１８：スライド部材
２０：押し釦
２１：脚部
２２、５２：リンク機構
２４：表示部
２６：本体
２８：基板
３０：ハウジング
３２：ガイド
３４：軸受部材
３６：ピン
３８：揺腕
４０：係合ピン
４２：係合溝
４４：底面
４６：センサ電極
４８：電極端子
５０：親指
５２：頭部
５４：バネ（弾性部材）
【図１】
2009250696.tif 000003
【図２】
2009250696.tif 000004
【図３】
2009250696.tif 000005
【図４】
2009250696.tif 000006
【図５】
2009250696.tif 000007
【図６】
2009250696.tif 000008